(57)【要約】      （修正有）【課題】パソコンに保存されたＳＰＤデータをパソコンに接続できない検査装置に保存する作業を短時間で簡単に行い、ＤＩＭＭ等の基板検査の作業効率を向上させることができる低コストで構築可能な検査システムを提供する。【解決手段】パソコン１に接続されたマスタ基板作成装置１０を用いて該パソコン内のＳＰＤデータをそのＥＥＰＲＯＭに記録したマスタ基板２を作成し、該マスタ基板を検査装置のソケットに装着して該マスタ基板から該ＳＰＤデータをダウンロードする。上記マスタ基板作成装置は、パソコンと接続するセントロコネクタ１１と、ＤＩＭＭを装着可能な２つのソケット１３ａ，１３ｂと、該セントロコネクタを介して入力されたＳＰＤデータを該ソケットに装着されたＤＩＭＭ上のＥＥＰＲＯＭに書き込む書込制御部が設けられている。【選択図】図２
2011023010.tif 000002
【特許請求の範囲】
【請求項１】
メモリモジュール基板を装着可能な基板装着部と、
所定情報を記録する情報メモリ部と、
検査プログラムを記録するプログラムメモリ部と、
該基板装着部に装着されたメモリモジュール基板上の不揮発性メモリに書き込まれた所定情報を該情報メモリ部に記録する記録制御部と、
該基板装着部に装着されたメモリモジュール基板上の不揮発性メモリに所定情報を書き込む書込制御部と、
該プログラムメモリ部に記録された検査プログラムに従って該基板装着部に装着されたメモリモジュール基板の検査を行う検査制御部とを有し、
検査対象となる多種のメモリモジュール基板上の不揮発性メモリに各メモリモジュール基板に対応した所定情報を書き込むとともに、該メモリモジュール基板の検査を行うメモリモジュール基板の検査システムにおいて、
上記情報メモリ部及び上記書込制御部、並びに該情報メモリ部に記録された所定情報を出力するための出力インターフェース部を備えたマスタ基板作成用書込制御装置と、
上記出力インターフェース部に接続されるインターフェース部、及び上記基板装着部を備え、該インターフェース部を介して入力された所定情報を、該基板装着部に装着されたメモリモジュール基板上の不揮発性メモリに伝送する基板装着装置と、
上記基板装着部、上記情報メモリ部、上記プログラムメモリ部、上記記録制御部、上記書込制御部及び上記検査制御部を備えた検査装置とが、それぞれ別体に構成され、
上記マスタ基板作成用書込制御装置は、該マスタ基板作成用書込制御装置の上記情報メモリ部に記録された所定情報を、該マスタ基板作成用書込制御装置の上記書込制御部の制御により上記出力インターフェース部から出力し、上記基板装着装置の上記基板装着部に装着されたマスタ基板となるメモリモジュール基板上の不揮発性メモリに書き込んでマスタ基板を作成し、
上記検査装置は、該検査装置の上記基板装着部に装着されたマスタ基板がもつ所定情報を、該検査装置の上記記録制御部により該検査装置の上記情報メモリ部に記録することを特徴とするメモリモジュール基板の検査システム。
【請求項２】
請求項１のメモリモジュール基板の検査システムにおいて、
上記基板装着装置に、上記インターフェース部から入力される信号レベルを変更するレベル変更部を設け、
該インターフェース部を介して入力された所定情報である信号を、該レベル変更部でレベル変更して、該基板装着部に装着されたマスタ基板となるメモリモジュール基板上の不揮発性メモリに伝送することを特徴とするメモリモジュール基板の検査システム。
【請求項３】
請求項１又は２のメモリモジュール基板の検査システムにおいて、
上記基板装着装置に、上記インターフェース部とは別個の他のインターフェース部を設け、
該他のインターフェース部に接続される外部装置と上記マスタ基板作成用書込制御装置との間の信号伝送が可能なように、該インターフェース部と該他のインターフェース部とが接続されていることを特徴とするメモリモジュール基板の検査システム。
【請求項４】
請求項３のメモリモジュール基板の検査システムにおいて、
上記外部装置が、メモリモジュール基板を装着可能な基板装着部を有するものであって、
上記他のインターフェース部を、該外部装置に接続可能な構成としたことを特徴とするメモリモジュール基板の検査システム。
【請求項５】
メモリモジュール基板を装着可能な基板装着部と、
所定情報を記録する情報メモリ部と、
検査プログラムを記録するプログラムメモリ部と、
該基板装着部に装着されたメモリモジュール基板上の不揮発性メモリに書き込まれた所定情報を該情報メモリ部に記録する記録制御部と、
該基板装着部に装着されたメモリモジュール基板上の不揮発性メモリに所定情報を書き込む書込制御部と、
該プログラムメモリ部に記録された検査プログラムに従って該基板装着部に装着されたメモリモジュール基板の検査を行う検査制御部とを有し、
検査対象となる多種のメモリモジュール基板上の不揮発性メモリに各メモリモジュール基板に対応した所定情報を書き込むとともに、該メモリモジュール基板の検査を行うメモリモジュール基板の検査システムにおいて、
上記情報メモリ部、及び該情報メモリ部に記録された所定情報を出力するための出力インターフェース部を備えた情報保存装置と、
上記出力インターフェース部に接続されるインターフェース部、並びに上記書込制御部及び上記基板装着部を備えたマスタ基板作成装置と、
上記基板装着部、上記情報メモリ部、上記プログラムメモリ部、上記記録制御部、上記書込制御部及び上記検査制御部を備えた検査装置とが、それぞれ別体に構成され、
上記マスタ基板作成装置は、該マスタ基板作成装置の上記書込制御部により、上記インターフェース部を介して、上記情報保存装置の上記情報メモリ部に記録された所定情報を読み出し、該所定情報を、該マスタ基板作成装置の上記基板装着部に装着されたマスタ基板となるメモリモジュール基板上の不揮発性メモリに書き込んでマスタ基板を作成し、
上記検査装置は、該検査装置の上記基板装着部に装着されたマスタ基板がもつ所定情報を、該検査装置の上記記録制御部により該検査装置の上記情報メモリ部に記録することを特徴とするメモリモジュール基板の検査システム。
【請求項６】
請求項１、２、３、４又は５のメモリモジュール基板の検査システムにおいて、
上記マスタ基板上の不揮発性メモリに書き込まれる書込元の所定情報と、該マスタ基板上の不揮発性メモリに書き込んだ所定情報とを比較して、該書込元の所定情報が該不揮発性メモリに正しく書き込まれたか否かを判断する比較判断部を、上記マスタ基板作成用書込制御装置又は上記基板装着装置、あるいは上記情報保存装置又は上記マスタ基板作成装置に設けたことを特徴とするメモリモジュール基板の検査システム。
【請求項７】
請求項１、２、３、４、５又は６のメモリモジュール基板の検査システムにおいて、
メモリモジュール基板上の不揮発性メモリ内の所定情報を読み出す読出制御部を、上記マスタ基板作成用書込制御装置又は上記基板装着装置、あるいは上記情報保存装置又は上記マスタ基板作成装置に設けたことを特徴とするメモリモジュール基板の検査システム。
【請求項８】
所定情報を記録する情報メモリ部、メモリモジュール基板上の不揮発性メモリに該所定情報を書き込む書込制御部、該書込制御部の制御に基づいて該所定情報を出力する出力インターフェース部を備えたマスタ基板作成用書込制御装置の出力インターフェースに接続されるインターフェース部と、
メモリモジュール基板を装着可能な基板装着部とを備え、
上記インターフェース部を介して入力された所定情報を、上記基板装着部に装着されたマスタ基板となるメモリモジュール基板上の不揮発性メモリに伝送し、上記マスタ基板作成用書込制御装置の上記書込制御部の制御に基づいてマスタ基板を作成するためのものであって、請求項１の検査システムに適用されることを特徴とする基板装着装置。
【請求項９】
請求項８の基板装着装置において、
上記インターフェース部から入力される信号レベルを変更するレベル変更部を設け、
該インターフェース部を介して入力された所定情報である信号を、該レベル変更部でレベル変更して、上記基板装着部に装着されたマスタ基板となるメモリモジュール基板上の不揮発性メモリに伝送することを特徴とする基板装着装置。
【請求項１０】
請求項８又は９の基板装着装置において、
上記インターフェース部とは別個の他のインターフェース部を設け、
該他のインターフェース部に接続される外部装置と上記マスタ基板作成用書込制御装置との間の信号伝送が可能なように、該インターフェース部と該他のインターフェース部とが接続されていることを特徴とする基板装着装置。
【請求項１１】
請求項１０の基板装着装置において、
上記外部装置が、メモリモジュール基板を装着可能な基板装着部を有するものであって、
上記他のインターフェース部を、該外部装置に接続可能な構成としたことを特徴とする基板装着装置。
【請求項１２】
請求項８、９、１０又は１１の基板装着装置において、
上記マスタ基板となるメモリモジュール基板上の不揮発性メモリに書き込まれる書込元の所定情報と、該マスタ基板上の不揮発性メモリに書き込んだ所定情報とを比較して、該書込元の所定情報が該不揮発性メモリに正しく書き込まれたか否かを判断する比較判断部を有することを特徴とする基板装着装置。
【請求項１３】
請求項８、９、１０、１１又は１２の基板装着装置において、
メモリモジュール基板上の不揮発性メモリ内の所定情報を読み出す読出制御部を有することを特徴とするマスタ基板作成装置。
【請求項１４】
所定情報を記録する情報メモリ部、及び該情報メモリ部に記録された所定情報を出力する出力インターフェース部を備えた情報保存装置の出力インターフェースに接続されるインターフェース部と、
メモリモジュール基板を装着可能な基板装着部と、
該インターフェース部を介して該情報保存装置の情報メモリ部に記録された所定情報を読み出し、該所定情報を、該基板装着部に装着されたマスタ基板となるメモリモジュール基板上の不揮発性メモリに書き込む書込制御部とを備え、
上記書込制御部の制御に基づいてマスタ基板を作成することを特徴とするマスタ基板作成装置。
【請求項１５】
請求項１４のマスタ基板作成装置において、
上記マスタ基板となるメモリモジュール基板上の不揮発性メモリに書き込まれる書込元の所定情報と、該マスタ基板上の不揮発性メモリに書き込んだ所定情報とを比較して、該書込元の所定情報が該不揮発性メモリに正しく書き込まれたか否かを判断する比較判断部を有することを特徴とするマスタ基板作成装置。
【請求項１６】
請求項１４又は１５のマスタ基板作成装置において、
メモリモジュール基板上の不揮発性メモリ内の所定情報を読み出す読出制御部を有することを特徴とするマスタ基板作成装置。
【請求項１７】
請求項１４のマスタ基板作成装置の書込制御部を構成する手段として、コンピュータを機能させるプログラムを記録したコンピュータ読取可能な記録媒体であって、
上記情報保存装置の上記情報メモリ部に記録された所定情報を上記インターフェース部を介して読み出す情報読出手段、該読み出した所定情報のうち、上記基板装着部に装着されたマスタ基板となるメモリモジュール基板上の不揮発性メモリに書き込むべき情報を、メモリに一時的に記録する情報記録手段、及び該メモリに記録された情報を該メモリモジュール基板上の不揮発性メモリに書き込む情報書込手段として、コンピュータを機能させるプログラムを記録したコンピュータ読取可能な記録媒体。
【発明の詳細な説明】
【技術分野】
【０００１】
本発明は、同一回路基板上に複数の半導体メモリが搭載されたメモリモジュール基板上に設けられたＥＥＰＲＯＭ等の不揮発性メモリへＳＰＤ等の所定情報を書き込むとともに、該メモリモジュール基板の検査を行うメモリモジュール基板の検査システムに関するものである。また、本発明は、この検査システムに用いられ、上記不揮発性メモリに所定情報を書き込んでマスタ基板を作成することに特化したマスタ基板作成装置に関するものである。
【背景技術】
【０００２】
上記メモリモジュール基板としては、例えば、パーソナルコンピュータ（以下、「パソコン」という。）やワークステーション等に使用されるＤＩＭＭ（Ｄｕａｌ  Ｉｎｌｉｎｅ  Ｍｅｍｏｒｙ  Ｍｏｄｕｌｅ）が知られている。このＤＩＭＭ上には、不揮発性メモリであるＥＥＰＲＯＭ（Ｅｌｅｃｔｒｉｃ  Ｅｒａｓａｂｌｅ  Ｐｒｏｇｒａｍｍａｂｌｅ  ＲＯＭ）が搭載されている。このＥＥＰＲＯＭには、当該ＤＩＭＭのメモリ容量、データ幅、コントロールライン、スピード等の情報であるＳＰＤ（Ｓｅｒｉａｌ  Ｐｒｅｓｅｎｃｅ  Ｄｅｔｅｃｔｉｏｎ）データが、製造業者によって書き込まれる。
【０００３】
ＤＩＭＭを製造するにあたって、その製造業者は、該ＤＩＭＭ上のＥＥＰＲＯＭにＳＰＤデータを書き込み、該ＤＩＭＭの検査を行う。このＳＰＤデータの書き込み及びＤＩＭＭの検査（以下、「基板検査等」という。）では、主に、検査対象となるＤＩＭＭ上のＥＥＰＲＯＭへのＳＰＤデータの書き込み、及び該ＤＩＭＭのアセンブル不良、アドレスフォルト、信号ノイズ不良等の検査を行う。
【０００４】
ＥＥＰＲＯＭに書き込まれるＳＰＤデータは、そのＤＩＭＭの種類によってそれぞれ異なる。近年では、技術開発によってＤＩＭＭの種類は増加の一途を辿っており、それに伴ってＳＰＤの種類も増加している。そのため、製造業者側では、多種にわたるＳＰＤを簡単に管理するために、各ＤＩＭＭに対応したＳＰＤデータをパソコンによって一括管理するようになっている。
【０００５】
検査者が基板検査等のために操作する検査装置の中には、各ＤＩＭＭに対応したＳＰＤデータを一括管理可能なコンピュータと、ＤＩＭＭを装着可能であって所定のインターフェースを介して該コンピュータに接続されるＤＩＭＭ装着装置とで構成された検査装置（例えば、ＴＲＩＡＤ  ＳＰＥＣＴＲＵＭ社製ＴｕｒｂｏＣＡＴＳ  II（商標））がある。この検査装置においては、当該コンピュータのハードディスクやフロッピーディスク等の記録媒体に記録されたＳＰＤデータを、上記インターフェースを介して、上記ＤＩＭＭ装着装置に伝送し、該ＤＩＭＭ上のＥＥＰＲＯＭに書き込むことができる。しかし、このような検査装置は、非常に高価であった。
【０００６】
一方で、パソコンには接続できないが、上述した高価な検査装置と同様の基板検査等を行うことができる安価な検査装置（例えば、ＴＲＩＡＤ  ＳＰＥＣＴＲＵＭ社製ＴｕｒｂｏＣＡＴＳ  Ｉ（商標））もある。この検査装置は、当該装置内に７種類のＳＰＤデータを保存することができる。したがって、７種類までのＤＩＭＭに対しては１台で基板検査等を行うことができた。
【発明の概要】
【発明が解決しようとする課題】
【０００７】
ところが、上述のように近年ではＳＰＤの種類が増大しているため、上記安価な検査装置を用いて基板検査等を行う検査ライン上には、７種類を超える多種のＤＩＭＭについて基板検査等を行いたい場合が多い。このように多種のＤＩＭＭが検査ライン上に乗ると、上記安価な検査装置に保存されたＳＰＤだけでは基板検査等を行うことができない。したがって、例えば８種類目のＤＩＭＭに対して基板検査等を行う場合、上記検査装置に既に保存されているＳＰＤデータの１つを削除して、該ＤＩＭＭに対応した８つ目のＳＰＤデータを該検査装置に保存するという作業を行い、それから基板検査等をしなければならない。
【０００８】
従来、上記安価な検査装置に新しいＳＰＤデータを保存する作業は、検査者がそのＳＰＤの内容が記載された紙を見て、そのＳＰＤデータを該検査装置に手入力で保存していた。このため、その基板検査等の作業が煩雑で時間がかかり、作業効率が悪いという問題があった。特に、この問題は、検査ライン上に乗るＤＩＭＭの種類が多ければ多いほど深刻となる。
【０００９】
また、上記のような安価な検査装置の中には、検査対象に書き込むべきＳＰＤデータが記録された不揮発性メモリを備えたメモリモジュール基板であるマスタ基板から該ＳＰＤデータをダウンロードできるものがある。これによれば、過去に一度基板検査等を行ったＤＩＭＭをマスタ基板として保管しておき、該マスタ基板からＳＰＤデータをダウンロードすることで、再び同じＳＰＤデータを検査装置に手入力で保存しなくても済む。しかし、マスタ基板として使用するＤＩＭＭ自体が高価であり、これからも増え続けるＳＰＤの種類ごとにマスタ基板を用意するのはコスト的に好ましくなく、しかも多数のマスタ基板を保管・管理するのも煩雑である。また、当該製造業者が製造を依頼されたＤＩＭＭをすべてその顧客に引き渡す旨の契約が存在する場合もあり、その場合にはマスタ基板として該ＤＩＭＭを保管しておくことができない。
【００１０】
更に、上記安価な検査装置を利用して基板検査等を行う場合、上述のように該検査装置に手入力でＳＰＤデータを保存するときに、その作業を行う検査者がミス入力してしまうこともある。このようにミス入力してしまった場合、そのミス入力により取り込まれたＳＰＤデータに基づいて検査対象の基板検査等が行われてしまうので、手入力したＳＰＤデータと、該ＳＰＤデータの元になったパソコン内のＳＰＤデータとを比較・チェックすることが非常に重要である。しかし、上記検査装置においては、パソコンと接続できないため、上記比較チェック作業を演算器等の機械的作業で行うことができない。このため、この比較チェック作業は、検査者が目で見て行うという人的作業に頼っていた。したがって、機械的作業に比べてその作業効率が悪く、また、手入力されたＳＰＤデータのチェックの確実性も機械的作業に比べて低いという問題があった。
【００１１】
本発明は、以上の問題に鑑みなされたものであり、その目的とするところは、パソコン等に接続できない安価な検査装置を用いてメモリモジュール基板の基板検査等を行うときに、該検査装置にＳＰＤ等の所定情報を保存する作業を従来に比べて短時間で簡単に行うことができ、かつ、その保存作業時のミスも少なく、基板検査等の作業効率を向上させることができる低コストで構築可能なメモリモジュール基板の検査システム、該検査システムに用いる基板装着装置及びマスタ基板作成装置、並びに該マスタ基板作成装置の書込制御部を構成する手段としてコンピュータを機能させるプログラムを記録したコンピュータ読取可能な記録媒体を提供することである。
【課題を解決するための手段】
【００１２】
上記目的を達成するために、請求項１の発明は、メモリモジュール基板を装着可能な基板装着部と、所定情報を記録する情報メモリ部と、検査プログラムを記録するプログラムメモリ部と、該基板装着部に装着されたメモリモジュール基板上の不揮発性メモリに書き込まれた所定情報を該情報メモリ部に記録する記録制御部と、該基板装着部に装着されたメモリモジュール基板上の不揮発性メモリに所定情報を書き込む書込制御部と、該プログラムメモリ部に記録された検査プログラムに従って該基板装着部に装着されたメモリモジュール基板の検査を行う検査制御部とを有し、検査対象となる多種のメモリモジュール基板上の不揮発性メモリに各メモリモジュール基板に対応した所定情報を書き込むとともに、該メモリモジュール基板の検査を行うメモリモジュール基板の検査システムにおいて、上記情報メモリ部及び上記書込制御部、並びに該情報メモリ部に記録された所定情報を出力するための出力インターフェース部を備えたマスタ基板作成用書込制御装置と、上記出力インターフェース部に接続されるインターフェース部、及び上記基板装着部を備え、該インターフェース部を介して入力された所定情報を、該基板装着部に装着されたメモリモジュール基板上の不揮発性メモリに伝送する基板装着装置と、上記基板装着部、上記情報メモリ部、上記プログラムメモリ部、上記記録制御部、上記書込制御部及び上記検査制御部を備えた検査装置とが、それぞれ別体に構成され、上記マスタ基板作成用書込制御装置は、該マスタ基板作成用書込制御装置の上記情報メモリ部に記録された所定情報を、該マスタ基板作成用書込制御装置の上記書込制御部の制御により上記出力インターフェース部から出力し、上記基板装着装置の上記基板装着部に装着されたマスタ基板となるメモリモジュール基板上の不揮発性メモリに書き込んでマスタ基板を作成し、上記検査装置は、該検査装置の上記基板装着部に装着されたマスタ基板がもつ所定情報を、該検査装置の上記記録制御部により該検査装置の上記情報メモリ部に記録することを特徴とするものである。
【００１３】
この検査システムは、上述した高価な検査装置を用いず、ＤＩＭＭの種類に応じた各ＳＰＤデータ等の所定の情報を一括管理可能なパソコン等に接続できない安価な検査装置を用いてメモリモジュール基板に対する基板検査等を行うものである。ここで、このパソコン等は、マスタ基板作成用書込制御装置として用いられ、その書込制御部は、例えば、所定の書込用コンピュータプログラムを実行するＣＰＵ等の演算器によって実現される。
このような安価な検査装置を用いる場合、上記マスタ基板作成用書込制御装置であるパソコン等によって保存・管理された所定情報を該検査装置内の情報メモリ部に保存する作業が必要になる。本請求項の検査システムでは、上記マスタ基板作成用書込制御装置及び上記基板装着装置により、該マスタ基板作成用書込制御装置内に保存された所定情報を、一旦、所定のメモリモジュール基板上の不揮発性メモリに書き込んでマスタ基板を作成する。そして、このマスタ基板を上記検査装置の基板装着部に装着して該マスタ基板上の不揮発性メモリ内の所定情報を該検査装置内の情報メモリ部にダウンロードする。このようにマスタ基板を介して、上記マスタ基板作成用書込制御装置で保存・管理されていた所定情報を検査装置に移動させるので、手入力作業により検査装置に移動させる従来の方法に比べて、その作業が簡単で短時間で済み、しかも検査装置への保存ミスはほとんどない。
【００１４】
また、上記マスタ基板作成用書込制御装置及びこれに接続される基板装着装置は、該マスタ基板作成用書込制御装置内の所定情報をマスタ基板となるメモリモジュール基板上の不揮発性メモリに書き込むことに特化したものである。すなわち、メモリモジュール基板に対してアセンブル不良等の基板検査を行う機能は上記検査装置に設けられているため、上記マスタ基板作成用書込制御装置自体及び上記基板装着装置自体には、基板検査を行う機能を設ける必要がなく、マスタ基板を作成するために必要な機能さえあれば足りる。したがって、上記マスタ基板作成用書込制御装置は、汎用のコンピュータと、所定の書込用コンピュータプログラムとで構成することが可能である。また、上記基板装着装置は、上記マスタ基板作成用書込制御装置から出力された所定情報を、基板装着部に装着されたメモリモジュール基板上の不揮発性メモリに伝送する機能さえあれば足りるので、部品点数も少なく、その構成も簡単であるため、低コストで製造することができる。また、当該検査システムを構成する他の構成要素である検査装置は、従来からある安価な検査装置（ＴＲＩＡＤ  ＳＰＥＣＴＲＵＭ社製ＴｕｒｂｏＣＡＴＳ  Ｉ（商標）等）を利用することができる。
【００１５】
このように、当該検査システムは、例えば、汎用のコンピュータに所定の書込プログラムをインストールして上記マスタ基板作成用書込制御装置を構成し、かつ、上記基板装着装置を製造あるいは入手し、更に安価な検査装置を製造あるいは入手するだけで構築できるので、当該検査システムを安価に提供することができる。特に、この検査システムを構成する安価な検査装置を既に所持し、かつ、汎用コンピュータで所定情報を一括管理している利用者にとっては、該汎用のコンピュータに所定の書込プログラムをインストールし、かつ、上記基板装着装置を製造あるいは入手するだけで、コストをかけずに作業効率の向上を図ることができる。
【００１６】
また、請求項２の発明は、請求項１のメモリモジュール基板の検査システムにおいて、上記基板装着装置に、上記インターフェース部から入力される信号レベルを変更するレベル変更部を設け、該インターフェース部を介して入力された所定情報である信号を、該レベル変更部でレベル変更して、該基板装着部に装着されたマスタ基板となるメモリモジュール基板上の不揮発性メモリに伝送することを特徴とするものである。
【００１７】
この検査システムは、上記レベル変更部により、上記マスタ基板作成用書込制御装置からの所定情報の信号レベルを変更してからメモリモジュール基板上の不揮発性メモリまで伝送する。したがって、上記不揮発性メモリの許容信号レベルよりも大きい信号や、必要な信号レベルにまで達しない信号等が、上記マスタ基板作成用書込制御装置から入力されたとしても、該信号を該不揮発性メモリに適した信号レベルに変更することができる。
【００１８】
また、請求項３の発明は、請求項１又は２のメモリモジュール基板の検査システムにおいて、上記基板装着装置に、上記インターフェース部とは別個の他のインターフェース部を設け、該他のインターフェース部に接続される外部装置と上記マスタ基板作成用書込制御装置との間の信号伝送が可能なように、該インターフェース部と該他のインターフェース部とが接続されていることを特徴とするものである。
【００１９】
この検査システムは、上記マスタ基板作成用書込制御装置と上記外部装置との間での信号伝送が可能なように、該マスタ基板作成用書込制御装置に接続されるインターフェース部と、該外部装置に接続される他のインターフェース部とが接続されている。したがって、上記マスタ基板作成用書込制御装置に設けられたインターフェースに上記基板装着装置を接続しても該インターフェースを占有してしまうことがなく、該基板装着装置を接続したまま、該インターフェースに接続可能な外部装置を利用することが可能となる。例えば、上記マスタ基板作成用書込制御装置としてパソコンを使用し、そのプリンタ用のパラレルインターフェースに上記基板装着装置を接続している場合であっても、該基板装着装置に設けられた上記他のインターフェース部にプリンタを接続しておけば、該基板装着装置を接続したままで該プリンタを使用することが可能となる。
尚、上記他のインターフェース部は１つとは限らず、上記インターフェース部とは別個の複数のインターフェース部を設けてもよい。
【００２０】
また、請求項４の発明は、請求項３のメモリモジュール基板の検査システムにおいて、上記外部装置が、メモリモジュール基板を装着可能な基板装着部を有するものであって、上記他のインターフェース部を、該外部装置に接続可能な構成としたことを特徴とするものである。
【００２１】
この検査システムにおいては、上記他のインターフェース部に、メモリモジュール基板を装着可能な基板装着部を有する他の外部装置を接続することで、例えば、上記基板装着装置本体に装着できないメモリモジュール基板についてもマスタ基板を作成することが可能となる。
【００２２】
上記目的を達成するために、請求項５の発明は、メモリモジュール基板を装着可能な基板装着部と、所定情報を記録する情報メモリ部と、検査プログラムを記録するプログラムメモリ部と、該基板装着部に装着されたメモリモジュール基板上の不揮発性メモリに書き込まれた所定情報を該情報メモリ部に記録する記録制御部と、該基板装着部に装着されたメモリモジュール基板上の不揮発性メモリに所定情報を書き込む書込制御部と、該プログラムメモリ部に記録された検査プログラムに従って該基板装着部に装着されたメモリモジュール基板の検査を行う検査制御部とを有し、検査対象となる多種のメモリモジュール基板上の不揮発性メモリに各メモリモジュール基板に対応した所定情報を書き込むとともに、該メモリモジュール基板の検査を行うメモリモジュール基板の検査システムにおいて、上記情報メモリ部、及び該情報メモリ部に記録された所定情報を出力するための出力インターフェース部を備えた情報保存装置と、上記出力インターフェース部に接続されるインターフェース部、並びに上記書込制御部及び上記基板装着部を備えたマスタ基板作成装置と、上記基板装着部、上記情報メモリ部、上記プログラムメモリ部、上記記録制御部、上記書込制御部及び上記検査制御部を備えた検査装置とが、それぞれ別体に構成され、上記マスタ基板作成装置は、該マスタ基板作成装置の上記書込制御部により、上記インターフェース部を介して、上記情報保存装置の上記情報メモリ部に記録された所定情報を読み出し、該所定情報を、該マスタ基板作成装置の上記基板装着部に装着されたマスタ基板となるメモリモジュール基板上の不揮発性メモリに書き込んでマスタ基板を作成し、上記検査装置は、該検査装置の上記基板装着部に装着されたマスタ基板がもつ所定情報を、該検査装置の上記記録制御部により該検査装置の上記情報メモリ部に記録することを特徴とするものである。
【００２３】
この検査システムにおいては、所定情報をメモリモジュール基板上の不揮発性メモリに書き込む書込制御部が、マスタ基板作成装置に設けられた構成となっている。すなわち、上記請求項１の検査システムの構成で例えて言えば、上記マスタ基板作成用書込制御装置に設けられていた書込制御部の機能が、上記基板装着装置側に与えられている構成となっている。このため、ＤＩＭＭの種類に応じた各ＳＰＤデータ等の所定情報を一括管理可能なパソコン等で上記情報保存装置を構成する場合、該情報保存装置には、所定情報を保存・管理できる機能さえあれば足り、所定情報をメモリモジュール基板上の不揮発性メモリに書き込むために必要な装置を設けたり、所定の書込用コンピュータプログラムをインストールしたりする必要がなくなる。
【００２４】
尚、この検査システムにおいても、上記請求項１の検査システムと同様に、パソコン等に接続できない安価な検査装置を用いても、従来よりも検査装置に所定情報を移動させる作業が簡単で短時間で済み、しかも検査装置への保存ミスをほとんどなくすことができる。また、当該検査システムの構成要素である上記情報保存装置は、汎用のコンピュータで構成でき、また、上記検査装置はパソコン等に接続できない安価な検査装置を製造あるいは入手すればよく、上記マスタ基板作成装置は、部品点数も少なく、その構成も簡単であるため、低コストで製造することができる。したがって、当該検査システムを安価に提供することができる。
【００２５】
また、請求項６の発明は、請求項１、２、３、４又は５のメモリモジュール基板の検査システムにおいて、上記マスタ基板上の不揮発性メモリに書き込まれる書込元の所定情報と、該マスタ基板上の不揮発性メモリに書き込んだ所定情報とを比較して、該書込元の所定情報が該不揮発性メモリに正しく書き込まれたか否かを判断する比較判断部を、上記マスタ基板作成用書込制御装置又は上記基板装着装置、あるいは上記情報保存装置又は上記マスタ基板作成装置に設けたことを特徴とするものである。
【００２６】
この検査システムにおいては、マスタ基板が正しく作成されたか否かを判断することができるので、検査装置への所定情報の保存ミスをなくし、基板検査等のやり直し等の無駄な時間をなくすことが可能となる。この比較判断部は、上記所定情報が保存されているマスタ基板作成用書込制御装置又は情報保存装置側に設けても、マスタ基板が装着される基板装着装置又はマスタ基板作成装置側に設けてもよい。上記比較判断部は、その機能をコンピュータプログラムで実現して構成したり、従来から知られている簡単な回路構成で実現して構成したりすることができる。
【００２７】
また、請求項７の発明は、請求項１、２、３、４、５又は６のメモリモジュール基板の検査システムにおいて、メモリモジュール基板上の不揮発性メモリ内の所定情報を読み出す読出制御部を、上記マスタ基板作成用書込制御装置又は上記基板装着装置、あるいは上記情報保存装置又は上記マスタ基板作成装置に設けたことを特徴とするものである。
【００２８】
この検査システムにおいては、上記読出制御部によりマスタ基板上の不揮発性メモリ内の所定情報を読み出すことができるので、例えば、基板検査等に必要な所定情報を、メモリモジュール基板上の不揮発性メモリ内に記録されたままの状態で入手した場合であっても、該所定情報を保存・管理することが可能なマスタ基板作成用書込制御装置又は情報保存装置に送ることが可能となる。また、例えば、上記マスタ基板作成用書込制御装置又は上記基板装着装置、あるいは上記情報保存装置又は上記マスタ基板作成装置にモニタを接続したり、プリンタを接続したりした構成にすれば、メモリモジュール基板上の不揮発性メモリに書き込んだ所定情報を一旦読み出して、所定の形式でモニタ等に表示したり、プリントアウトしたりする等も可能となる。
【００２９】
上記目的を達成するために、請求項８の発明は、所定情報を記録する情報メモリ部、メモリモジュール基板上の不揮発性メモリに該所定情報を書き込む書込制御部、該書込制御部の制御に基づいて該所定情報を出力する出力インターフェース部を備えたマスタ基板作成用書込制御装置の出力インターフェースに接続されるインターフェース部と、メモリモジュール基板を装着可能な基板装着部とを備え、上記インターフェース部を介して入力された所定情報を、上記基板装着部に装着されたマスタ基板となるメモリモジュール基板上の不揮発性メモリに伝送し、上記マスタ基板作成用書込制御装置の上記書込制御部の制御に基づいてマスタ基板を作成するためのものであって、請求項１の検査システムに適用されることを特徴とする基板装着装置である。
【００３０】
この基板装着装置は、上述した請求項１の検査システムの基板装着装置に適用されるものであって、パソコン等のマスタ基板作成用書込制御装置内の所定情報をマスタ基板となるメモリモジュール基板上の不揮発性メモリに伝送するためのものである。したがって、この基板装着装置に関しては、部品点数も少なく、その構成も簡単であるため、低コストで製造することができる。よって、本請求項の基板装着装置を上述した請求項１の検査システムに適用した場合、その検査システム全体も安価に提供することができる。
【００３１】
また、請求項９の発明は、請求項８の基板装着装置において、上記インターフェース部から入力される信号レベルを変更するレベル変更部を設け、該インターフェース部を介して入力された所定情報である信号を、該レベル変更部でレベル変更して、上記基板装着部に装着されたマスタ基板となるメモリモジュール基板上の不揮発性メモリに伝送することを特徴とするものである。
【００３２】
この基板装着装置においては、上記レベル変更部により、上記マスタ基板作成用書込制御装置からの所定情報の信号レベルを変更してからメモリモジュール基板上の不揮発性メモリまで伝送する。したがって、上記不揮発性メモリの許容信号レベルよりも大きい信号や、必要な信号レベルにまで達しない信号等が、上記マスタ基板作成用書込制御装置から入力されたとしても、該信号を該不揮発性メモリに適した信号レベルに変更することができる。
【００３３】
また、請求項１０の発明は、請求項８又は９の基板装着装置において、上記インターフェース部とは別個の他のインターフェース部を設け、該他のインターフェース部に接続される外部装置と上記マスタ基板作成用書込制御装置との間の信号伝送が可能なように、該インターフェース部と該他のインターフェース部とが接続されていることを特徴とするものである。
【００３４】
この基板装着装置においては、上記マスタ基板作成用書込制御装置と上記外部装置との間での信号伝送が可能なように、該マスタ基板作成用書込制御装置に接続されるインターフェース部と、該外部装置に接続される他のインターフェース部とが接続されている。したがって、上記マスタ基板作成用書込制御装置に設けられたインターフェースに上記基板装着装置を接続しても該インターフェースを占有してしまうことがなく、該基板装着装置を接続したまま、該インターフェースに接続可能な外部装置を利用することが可能となる。例えば、上記マスタ基板作成用書込制御装置としてパソコンを使用し、そのプリンタ用のパラレルインターフェースに上記基板装着装置を接続している場合であっても、該基板装着装置に設けられた上記他のインターフェース部にプリンタを接続しておけば、該基板装着装置を接続したままで該プリンタを使用することが可能となる。
【００３５】
また、請求項１１の発明は、請求項１０の基板装着装置において、上記外部装置が、メモリモジュール基板を装着可能な基板装着部を有するものであって、上記他のインターフェース部を、該外部装置に接続可能な構成としたことを特徴とするものである。
【００３６】
この基板装着装置においては、上記他のインターフェース部に、メモリモジュール基板を装着可能な基板装着部を有する他の外部装置を接続することで、例えば、当該基板装着装置本体に装着できないメモリモジュール基板についてもマスタ基板を作成することが可能となる。
【００３７】
また、請求項１２の発明は、請求項８、９、１０又は１１の基板装着装置において、上記マスタ基板となるメモリモジュール基板上の不揮発性メモリに書き込まれる書込元の所定情報と、該マスタ基板上の不揮発性メモリに書き込んだ所定情報とを比較して、該書込元の所定情報が該不揮発性メモリに正しく書き込まれたか否かを判断する比較判断部を有することを特徴とするものである。
【００３８】
この基板装着装置においては、マスタ基板が正しく作成されたか否かを判断することができるので、この基板装着装置を適用した検査システムにおいて、検査装置への所定情報の保存ミスをなくし、基板検査等のやり直し等の無駄な時間をなくすことが可能となる。
【００３９】
また、請求項１３の発明は、請求項８、９、１０、１１又は１２の基板装着装置において、メモリモジュール基板上の不揮発性メモリ内の所定情報を読み出す読出制御部を有することを特徴とするものである。
【００４０】
この基板装着装置においては、上記読出制御部によりマスタ基板上の不揮発性メモリ内の所定情報を読み出すことができるので、この基板検査装置を適用した検査システムにおいて、例えば、基板検査等に必要な所定情報を、メモリモジュール基板上の不揮発性メモリ内に記録されたままの状態で入手した場合であっても、該所定情報を保存・管理することが可能な上記マスタ基板作成用書込制御装置に送ることが可能となる。また、例えば、上記マスタ基板作成用書込制御装置にモニタを接続したり、プリンタを接続したりした構成にすれば、メモリモジュール基板上の不揮発性メモリに書き込んだ所定情報を一旦読み出して、所定の形式でモニタ等に表示したり、プリントアウトしたりする等も可能となる。
【００４１】
また、請求項１４の発明は、所定情報を記録する情報メモリ部、及び該情報メモリ部に記録された所定情報を出力する出力インターフェース部を備えた情報保存装置の出力インターフェースに接続されるインターフェース部と、メモリモジュール基板を装着可能な基板装着部と、該インターフェース部を介して該情報保存装置の情報メモリ部に記録された所定情報を読み出し、該所定情報を、該基板装着部に装着されたマスタ基板となるメモリモジュール基板上の不揮発性メモリに書き込む書込制御部とを備え、上記書込制御部の制御に基づいてマスタ基板を作成することを特徴とするマスタ基板作成装置である。
【００４２】
このマスタ基板作成装置には、所定情報をメモリモジュール基板上の不揮発性メモリに書き込む書込制御部が設けられているので、このマスタ基板作成装置と接続される上記情報保存装置を、ＤＩＭＭの種類に応じた各ＳＰＤデータ等の所定情報を一括管理可能なパソコン等で構成する場合、該情報保存装置には、所定情報を保存・管理できる機能さえあれば足り、所定情報をメモリモジュール基板上の不揮発性メモリに書き込むために必要な装置を設けたり、所定の書込用コンピュータプログラムをインストールしたりする必要がなくなる。
【００４３】
尚、このマスタ基板作成装置も、上記基板装着装置と同様に、部品点数が少なく、その構成も比較的簡単であるため、低コストで製造することができる。よって、このマスタ基板作成装置を適用して検査システムを構築する場合、その検査システム全体も安価に提供することができる。
【００４４】
また、請求項１５の発明は、請求項１４のマスタ基板作成装置において、上記マスタ基板となるメモリモジュール基板上の不揮発性メモリに書き込まれる書込元の所定情報と、該マスタ基板上の不揮発性メモリに書き込んだ所定情報とを比較して、該書込元の所定情報が該不揮発性メモリに正しく書き込まれたか否かを判断する比較判断部を有することを特徴とするものである。
【００４５】
このマスタ基板作成装置においては、マスタ基板が正しく作成されたか否かを判断することができるので、このマスタ基板作成装置を適用した検査システムにおいて、検査装置への所定情報の保存ミスをなくし、基板検査等のやり直し等の無駄な時間をなくすことが可能となる。
【００４６】
また、請求項１６の発明は、請求項１４又は１５のマスタ基板作成装置において、メモリモジュール基板上の不揮発性メモリ内の所定情報を読み出す読出制御部を有することを特徴とするものである。
【００４７】
このマスタ基板作成装置においては、上記読出制御部によりマスタ基板上の不揮発性メモリ内の所定情報を読み出すことができるので、このマスタ基板作成装置を適用した検査システムにおいて、例えば、基板検査等に必要な所定情報を、メモリモジュール基板上の不揮発性メモリ内に記録されたままの状態で入手した場合であっても、該所定情報を保存・管理することが可能な上記情報保存装置に送ることが可能となる。また、例えば、上記情報保存装置にモニタを接続したり、プリンタを接続したりした構成にすれば、メモリモジュール基板上の不揮発性メモリに書き込んだ所定情報を一旦読み出して、所定の形式でモニタ等に表示したり、プリントアウトしたりする等も可能となる。
【００４８】
上記目的を達成するために、請求項１７の発明は、請求項１４のマスタ基板作成装置の書込制御部を構成する手段として、コンピュータを機能させるプログラムを記録したコンピュータ読取可能な記録媒体であって、上記情報保存装置の上記情報メモリ部に記録された所定情報を上記インターフェース部を介して読み出す情報読出手段、該読み出した所定情報のうち、上記基板装着部に装着されたマスタ基板となるメモリモジュール基板上の不揮発性メモリに書き込むべき情報を、メモリに一時的に記録する情報記録手段、及び該メモリに記録された情報を該メモリモジュール基板上の不揮発性メモリに書き込む情報書込手段として、コンピュータを機能させるプログラムを記録したコンピュータ読取可能な記録媒体である。
【００４９】
この記録媒体に記録されているプログラムは、請求項１４のマスタ基板作成装置に読み込まれる。そして、このマスタ基板作成装置の書込制御部で上記プログラムが実行されることにより、該マスタ基板作成装置に接続される上記情報保存装置に、所定情報をメモリモジュール基板上の不揮発性メモリに書き込むために必要な装置を設けたり、所定の書込用コンピュータプログラムをインストールしたりする必要がなくなる。
【発明の効果】
【００５０】
請求項１乃至７の発明によれば、パソコン等に接続できない安価な検査装置を用いてメモリモジュール基板の基板検査等を行うときに、マスタ基板作成用書込制御装置又は情報保存装置に保存されたＳＰＤ等の所定情報を該検査装置に保存する作業を手入力で行わずにマスタ基板を介して行うので、従来に比べて短時間で簡単に行うことができてその保存作業時のミスも少なく、基板検査等の作業効率を向上させることができるという優れた効果がある。
更に、マスタ基板とパソコン等とを接続するための基板装着部又はマスタ基板作成装置自体は安価に製造できるので、低コストで構築可能な検査システムを提供することができるという優れた効果もある。
【００５１】
特に、請求項２の発明によれば、マスタ基板作成用書込制御装置からの信号をメモリモジュール基板上の不揮発性メモリに適した信号レベルに変更することができるので、該不揮発性メモリに適しない信号レベルをもつ所定情報を出力するマスタ基板作成用書込制御装置に対しても当該検査システムを適用することができるという優れた効果がある。
【００５２】
また、請求項３の発明によれば、マスタ基板作成用書込制御装置の出力インターフェース部を基板装着装置で占有してしまうことがなく、該マスタ基板作成用書込制御装置に該基板装着装置を接続したままでも、接続していないときと同じように該マスタ基板作成用書込制御装置を他の用途に使用することができるという優れた効果がある。
【００５３】
また、請求項４の発明によれば、基板装着装置本体に装着できないメモリモジュール基板についてもマスタ基板を作成することが可能となるので、新規なメモリモジュール基板に対しても迅速に対応して基板検査等を行うことができることができるという優れた効果がある。
【００５４】
また、請求項５の発明によれば、マスタ基板作成装置に接続される情報保存装置には、従来どおりに所定情報を保存・管理できる機能さえあれば足りるので、当該検査システムの導入に際しての作業は、該マスタ基板作成装置を接続するだけでも可能となり、その作業が簡単であるという優れた効果がある。
【００５５】
また、請求項６の発明によれば、検査装置への保存作業時のミスを更に軽減し、基板検査等のやり直し等の無駄な時間をなくすことが可能となるという優れた効果がある。
【００５６】
また、請求項７の発明によれば、メモリモジュール基板上の不揮発性メモリ内に記録されたままの状態で入手した場合であっても、該所定情報を保存・管理することが可能なマスタ基板作成用書込制御装置又は情報保存装置に送ることが可能となったり、システム構成によっては、メモリモジュール基板上の不揮発性メモリに書き込んだ所定情報を一旦読み出して、所定の形式でモニタ等に表示したり、プリントアウトしたりする等が可能となるという優れた効果がある。
【００５７】
請求項８乃至１３の発明によれば、安価に製造できる基板装着装置を提供できるので、低コストで検査システムを構築することが可能となるという優れた効果がある。
また、当該基板装着装置を適用して検査システムを構築すれば、パソコン等に接続できない安価な検査装置を用いてメモリモジュール基板の基板検査等を行うことができ、該パソコン等で構成可能なマスタ基板作成用書込制御装置に保存されたＳＰＤ等の所定情報を該検査装置に保存する作業を手入力で行わずにマスタ基板を介して行うので、従来に比べて短時間で簡単に行うことができてその保存作業時のミスも少なく、基板検査等の作業効率を向上させることができるという優れた効果もある。
【００５８】
特に、請求項９の発明によれば、マスタ基板作成用書込制御装置からの信号をメモリモジュール基板上の不揮発性メモリに適した信号レベルに変更することができるので、該不揮発性メモリに適しない信号レベルをもつ所定情報を出力するマスタ基板作成用書込制御装置に対しても当該基板装着装置を接続して使用することができるという優れた効果がある。
【００５９】
また、請求項１０の発明によれば、マスタ基板作成用書込制御装置の出力インターフェース部を当該基板装着装置で占有してしまうことがなく、該マスタ基板作成用書込制御装置に該基板装着装置を接続したままでも、接続していないときと同じように該マスタ基板作成用書込制御装置を他の用途に使用することができるという優れた効果がある。
【００６０】
また、請求項１１の発明によれば、当該基板装着装置本体に装着できないメモリモジュール基板についてもマスタ基板を作成することが可能となるので、新規なメモリモジュール基板に対しても迅速に対応してマスタ基板を作成することができるという優れた効果がある。
【００６１】
また、請求項１２の発明によれば、マスタ基板への書込エラーを軽減することができ、当該基板装着装置を適用した検査システムにおいて、検査装置への保存作業時のミスを更に軽減し、基板検査等のやり直し等の無駄な時間をなくすことが可能となるという優れた効果がある。
【００６２】
また、請求項１３の発明によれば、メモリモジュール基板上の不揮発性メモリ内に記録されたままの状態で入手した場合であっても、該所定情報を保存・管理することが可能なマスタ基板作成用書込制御装置に送ることが可能となったり、当該基板装着装置を適用する検査システムの構成によっては、メモリモジュール基板上の不揮発性メモリに書き込んだ所定情報を一旦読み出して、所定の形式でモニタ等に表示したり、プリントアウトしたりする等が可能となるという優れた効果がある。
【００６３】
請求項１４乃至１６の発明によれば、当該マスタ基板作成装置に接続される情報保存装置には、従来どおりに所定情報を保存・管理できる機能さえあれば足りるので、当該マスタ基板作成装置を適用して検査システムを構築するに際しての作業は、当該マスタ基板作成装置を上記情報保存装置に接続するだけでも可能となり、その作業が簡単であるという優れた効果がある。
【００６４】
特に、請求項１５の発明によれば、上記請求項１２と同様の効果を得ることができる。
【００６５】
また、請求項１６の発明によれば、上記請求項１３と同様の効果を得ることができる。
【００６６】
請求項１７の発明によれば、検査システムを構築するに際しての作業が簡単となるという優れた効果がある。
【図面の簡単な説明】
【００６７】
【図１】実施形態１に係る検査システム全体の外観図。
【図２】同検査システムを構成する基板装着装置の概略構成を示すブロック図。
【図３】同検査システムを構成する検査装置の概略構成を示すブロック図。
【図４】同マスタ基板作成装置の外部接続用コネクタに接続された他の外部装置を示す外観図。
【図５】実施形態１に係る検査システムのマスタ基板作成装置の概略構成を示すブロック図。
【発明を実施するための形態】
【００６８】
〔実施形態１〕
本発明を、メモリモジュール基板であるＤＩＭＭ上に設けられた不揮発性メモリであるＥＥＰＲＯＭに所定情報であるＳＰＤデータを書き込みとともに、該ＤＩＭＭの検査を行う検査システムに適用した実施形態（以下、本実施形態を「実施形態１」という。）について説明する。
【００６９】
まず、本実施形態に係る検査システム全体の構成及び動作について説明する。
図１は、本実施形態に係る検査システム全体の外観図である。この検査システムは、マスタ基板作成用書込制御装置であるパソコン１に接続可能な基板装着装置１０と、検査装置２０とから構成されている。
【００７０】
上記パソコン１は、市販されているＤＯＳ−Ｖマシン等の汎用パソコンであり、プリンタ等の外部機器とのデータ通信を行うための出力インターフェース部としてのパラレルインターフェース（以下、「セントロコネクタ」という。）が設けられている。このパソコン１には、多種にわたるＳＰＤを管理するために、情報メモリ部としての内蔵ハードディスク内に各ＳＰＤデータがファイル形式で保存されている。尚、このようにパソコンを用いれば、ほぼ無限数のＳＰＤデータを管理することができる。また、このパソコン１には、上記セントロコネクタに接続された基板装着装置１０を介して、上記ハードディスク内に保存されたＳＰＤデータをＤＩＭＭ２上のＥＥＰＲＯＭ３に書き込むための書込用のアプリケーションがインストールされている。検査者は、この書込用アプリケーションを起動して所定の操作をすることで、上記ハードディスク内から任意のＳＰＤデータを選択し、上記基板装着装置１０を介して該ＳＰＤデータをＤＩＭＭ２上のＥＥＰＲＯＭ３に書き込むことができる。本実施形態では、上記書込用アプリケーションプログラムのコンピュータプログラムを読み出して一時的に記録しておくＲＡＭ及び該プログラムを実行するＣＰＵ等によって書込制御部が構成されている。
【００７１】
上記基板装着装置１０にも、上記パソコン１と同様にインターフェース部としてのセントロコネクタが設けられている。このセントロコネクタは、上記基板装着装置１０の背面に設けられている。この基板装着装置１０は、上記パソコン１のＣＰＵの制御の下、このセントロコネクタを介して入力されたＳＰＤデータを、用意しておいたＤＩＭＭ２上のＥＥＰＲＯＭ３に伝送する。このＤＩＭＭ２は、マスタ基板として用いられることになる。また、上記基板装着装置１０の内部には、５Ｖの直流電源を内部回路に供給する電源部が設けられているが、この電源部からは電源ケーブル６が延びており、該電源ケーブルを商用電源コンセントに差し込むことで電源供給が可能となっている。更に、上記基板装着装置１０の上面には、上記電源部からの電源供給のオン／オフを切り換える電源スイッチ７が設けられている。
【００７２】
上記検査装置２０は、検査対象であるＤＩＭＭ４上に設けられたＥＥＰＲＯＭ５にＳＰＤデータを書き込み、そして該ＤＩＭＭの検査を行う。この検査装置２０は、パソコン１には接続できない安価なものであり、例えば、ＴＲＩＡＤ  ＳＰＥＣＴＲＵＭ社製ＴｕｒｂｏＣＡＴＳ  Ｉ（商標）を用いることができる。この検査装置２０は、７種類のＳＰＤデータを保存することが可能であり、検査対象のＤＩＭＭ４の種類に応じてこれらの中からＳＰＤデータを選択し、該ＳＰＤデータを該ＤＩＭＭ上のＥＥＰＲＯＭ５に書き込むことができる。また、この検査装置２０は、所定の検査プログラムに従って検査対象のＤＩＭＭ４の検査を行うが、その検査プログラムは、当該検査装置２０のディフォルトで設定されたもの以外にも、ユーザー独自の検査プログラムを７種類まで保存できる。検査の際には、検査者が保存された検査プログラムの中から必要なものを適宜選択して実行する。
【００７３】
以下、本発明の特徴部分である上記検査システムを構成する上記基板装着装置１０及び上記検査装置２０の構成及び動作について説明する。
図２は、上記基板装着装置１０の概略構成を示すブロック図であり、図３は、上記検査装置２０の概略構成を示すブロック図である。
【００７４】
まず、上記基板装着装置１０の構成及び動作について説明する。
図２において、上記基板装着装置１０は、上記パソコン１のセントロコネクタとケーブル接続可能なインターフェース部としてのセントロコネクタ１１と、該セントロコネクタ１１に装置内部において１対１で接続された他のインターフェース部としての同型のセントロコネクタ１２とが設けられている。上記セントロコネクタ１１は、上記セントロコネクタ１２とフラットケーブルによって接続されており、該セントロコネクタ１２は外部装置であるプリンタ機器８に接続される。この構成によって、上記パソコン１のプリンタ機器接続用のセントロコネクタを当該検査システムのために利用しても、該パソコンとプリンタ機器８との通信を維持でき、該パソコンを他の目的に使用することが可能となる。
【００７５】
また、上記基板装着装置１０には、マスタ基板となるＤＩＭＭ２を装着可能な基板装着部としての４つのソケット１３ａ，１３ｂ，１３ｃ，１３ｄとが設けられている。これらのソケットは、１００ピンのＤＩＭＭに対応した第１ソケット１３ａと、１８４ピンのＤＩＭＭに対応した第２ソケット１３ｂと、１６８ピンのＤＩＭＭに対応した第３ソケット１３ｃと、１４４ピンのＤＩＭＭに対応した第４ソケット１３ｄとからなる。これにより、上記基板装着装置１０は、現存する主なＤＩＭＭの形式に対応することができるようになっている。尚、ここでは、４つの形式に対応した４つのソケットを設けた構成であるが、他の形式のＤＩＭＭにも対応する必要がある場合は、該形式に対応したソケットを設けてもよい。
【００７６】
また、上記基板装着装置１０には、他のインターフェース部としての外部接続用コネクタ１４が設けられている。この外部接続用コネクタ１４は、上記基板装着装置１０の背面に設けられており、各ソケット１３ａ，１３ｂ，１３ｃ，１３ｄと同様に、レベル変更部１５及びセントロコネクタ１１を介して上記パソコンに接続されている。この外部接続用コネクタ１４には、図４に示すように、装置本体に設けられた４つのソケット１３ａ，１３ｂ，１３ｃ，１３ｄの形式とは異なるソケットを有する外部装置１８を接続される。この外部接続用コネクタ１４を設けることで、装置本体自体の設計を変更することなく、上記他の外部装置１８を用意するだけで、新規な形式のＤＩＭＭのマスタ基板を作成することが可能となる。また、このように新規な形式のＤＩＭＭに対応したソケットをもつ外部装置１８を用意するのではなく、ＥＥＰＲＯＭの端子と上記外部接続用コネクタ１４の端子とを直接接続するためのＩＣクリップ等を外部装置として該外部接続用コネクタに接続してもよい。
【００７７】
また、上記基板装着装置１０には、上記セントロコネクタ１１から入力されたＳＰＤデータの信号レベルを上記ソケット１３ａ，１３ｂ，１３ｃ，１３ｄ、上記外部接続用コネクタ１４に接続される他の外部装置やＩＣクリップのいずれかに装着されたＤＩＭＭ２上のＥＥＰＲＯＭ３に適した信号レベルにレベル変更部１５が設けられている。このレベル変更部１５は、上記セントロコネクタ１１から入力される５ＶのＳＰＤデータを３．３Ｖにレベル変更して、各ソケット等に出力する。このレベル変更部１５から延びる各データラインは、上記各ソケット１３ａ，１３ｂ，１３ｃ，１３ｄ及び上記外部接続用コネクタ１４に並列に接続されており、これらソケット等のうちの１つにＤＩＭＭ２が接続されると、上記ＳＰＤデータが該ＤＩＭＭに書き込まれる。
尚、以下の説明では、１４４ピンのＤＩＭＭ２に対応した第４ソケット１３ｄを使用した場合について説明する。
【００７８】
このようにしてＳＰＤデータが書き込まれたＤＩＭＭ２は、マスタ基板として用いられるが、ここで、書込エラーのチェックを行うようにすれば、上記検査装置２０へのＳＰＤデータの保存ミスをなくし、基板検査等のやり直し等の無駄な時間をなくすことができる。そこで、本実施形態では、上記パソコン１に、上記ハードディスクに保存されたＳＰＤデータと、上記ＤＩＭＭ２上のＥＥＰＲＯＭ３に書き込んだＳＰＤデータとを比較して、書込エラーの有無を判断する比較用アプリケーションがインストールされている。この構成においては、上記比較用アプリケーションのコンピュータプログラムを読み出して一時的に記録しておくＲＡＭ及び該プログラムを実行するＣＰＵ等によって比較判断部が構成されている。
【００７９】
この比較用アプリケーションは、上記書込用アプリケーションによる書込工程が終了した後、まず、上記基板装着装置１０を介して、上記第４ソケット１３ｄに装着されたＤＩＭＭ２上のＥＥＰＲＯＭ３に書き込んだＳＰＤデータを読み出す。そして、このＳＰＤデータと、上記ハードディスク内に保存された書込元のＳＰＤデータとを比較する。この比較の結果、ＳＰＤが正確に書き込まれている場合には、上記パソコンのモニタに「ＰＡＳＳ」等を表示させ、検査者に書き込みが正常に行われた旨を知らせる。一方、ＳＰＤが正確に書き込まれていない場合には、上記モニタに「ＦＡＩＬ」等を表示させ、検査者に書き込みが正常に行われていない旨を知らせる。この場合、検査者は、再度書き込みを行ったり、書込対象のＤＩＭＭを交換したりして対処する。
【００８０】
このようにしてマスタ基板を作成したら、このＤＩＭＭ２を上記第４ソケット１３ｄから外して上記検査装置２０のある場所に運び、後述のように該ＤＩＭＭから該検査装置にＳＰＤをダウンロードする。
【００８１】
次に、図３に示す上記検査装置２０の構成及び動作について説明する。
上記検査装置２０は、上記第４ソケットと同様に、基板装着部としての１４４ピンのＤＩＭＭに対応したソケット２１が設けられている。このソケット２１は、当該検査装置２０に対して着脱可能に構成されており、検査対象のＤＩＭＭの形式に応じてソケットを交換可能となっている。
【００８２】
また、上記検査装置２０には、ＳＰＤデータを保存しておく情報メモリ部２２と、当該検査装置で実行する検査プログラムを記録するプログラムメモリ部２３と、上記ソケット２１に装着されたマスタ基板であるＤＩＭＭ２上のＥＥＰＲＯＭ３に書き込まれたＳＰＤデータを該情報メモリ部に記録する記録制御部２４と、該ソケットに装着された検査対象となるＤＩＭＭ４上のＥＥＰＲＯＭ５にＳＰＤデータを書き込む書込制御部２５と、該プログラムメモリ部に記録された検査プログラムに従って検査対象のＤＩＭＭの検査を行う検査制御部２６などから構成されている。
【００８３】
上記情報メモリ部２２には、７種類のＳＰＤデータを保存することが可能である。また、上記プログラムメモリ部２３には、ディフォルトで設定された基本検査プログラムが保存されており、これ以外にもユーザー独自の検査プログラムを７種類まで保存することができる。これら情報メモリ部２２及びプログラムメモリ部２３は、単一の記録媒体で形成しても、別個の記録媒体で形成してもよい。尚、上記情報メモリ部２２に手入力でＳＰＤデータを入力したい場合には、図１に示すタッチパネル９を操作して入力することができる。また、上記プログラムメモリ部２３にユーザー独自の検査プログラムを保存する場合にも、同様に上記タッチパネル９を操作して行う。
【００８４】
上記記録制御部２４は、上記ソケット２１に装着されたマスタ基板であるＤＩＭＭ２上のＥＥＰＲＯＭ３から、上記基板装着装置１０によって書き込まれたＳＰＤデータを上記情報メモリ部２２に所定の形式で記録する。上記情報メモリ部２２内に既に７種類のＳＰＤデータが保存されているときには、上記タッチパネル９にその旨の警告を出し、検査者が該７種類のＳＰＤデータのうちから消去するＳＰＤデータを選択させる。そして、上記記録制御部２４では、選択されたＳＰＤデータの内容を消去して、そのデータ格納部に上記ＤＩＭＭ２からの新しいＳＰＤデータを書き込む。
【００８５】
上記書込制御部２５は、上記情報メモリ部２２に保存されたＳＰＤデータのうち、検査者によって選択されたＳＰＤデータを取り出し、上記ソケット２１に出力する。そして、このＳＰＤデータは、上記ソケット２１に装着された検査対象となるＤＩＭＭ４上のＥＥＰＲＯＭ５に書き込まれる。
【００８６】
上記検査制御部２６は、上記プログラムメモリ部２３に保存された検査プログラムのうち、検査者によって選択された検査プログラムを実行する。この検査プログラムは、ＤＩＭＭ上のアドレスライン、データライン、ＤＱＭライン、ＣＳライン、モジュールのコントロールライン等のオープン、ショートを検出する検査や、ＤＩＭＭ上の各メモリセルのオープン、ショートを検出する検査など、検査プログラムによって指定された多種の検査を順次実行する。
【００８７】
以上の構成をもつ検査システムを用いて以下のように検査が行われる。尚、ここでは、多種にわたるＤＩＭＭが乗っている検査ラインに本検査システムを適用した場合について説明する。
まず、検査ライン上に乗るＤＩＭＭの種類に応じて、上記基板装着装置１０を用いてマスタ基板を作成しておく。そして、検査ラインで流れてくるＤＩＭＭの種類に応じて、対応したマスタ基板から上記検査装置２０にＳＰＤデータをダウンロードして上記情報メモリ部２２に保存する。８種類目以上のＤＩＭＭが流れてきたら、その都度、上記情報メモリ部２２に保存された任意のＳＰＤデータを削除して、上記マスタ基板から対応したＳＰＤデータをダウンロードする。このようにして検査を行っていき、検査ライン上に乗っているＤＩＭＭの検査が終わったら、最後にマスタ基板を処分し、検査を終了する。尚、このマスタ基板は、そのまま破棄してもよいが、次回の使用のために所定期間保管しておいてもよい。また、製造や検査を依頼されたＤＩＭＭをすべてその顧客に引き渡す旨の契約が存在する場合には、最後にマスタ基板を検査してそのマスタ基板も、検査を終了した基板とともに納品する。
【００８８】
以上、本実施形態によれば、パソコンに接続できない検査装置を利用する場合に、ＳＰＤデータを手入力する作業を行わず、パソコンに保存・管理してあるＳＰＤデータを簡単に利用することができる。しかも、上記検査装置としては、ＴＲＩＡＤ  ＳＰＥＣＴＲＵＭ社製ＴｕｒｂｏＣＡＴＳ  Ｉ（商標）等の安価な検査装置を用いることができ、しかも上記基板装着装置も安価に製造できるので、上述のような検査システムを安価に構築することができる。
【００８９】
尚、本実施形態の検査システムに、更に、上記ＤＩＭＭ上のＥＥＰＲＯＭ内の所定情報を読み出す読出制御部を設けてもよい。この読出制御部は、上記パソコン１に設ける場合、上記ＤＩＭＭ２，４上のＥＥＰＲＯＭ３，５内の所定情報を読み出すための読出用アプリケーションとして実現することができる。この構成においては、上記読出用アプリケーションのコンピュータプログラムを読み出して一時的に記録しておくＲＡＭ及び該プログラムを実行するＣＰＵ等によって上記読出制御部が構成されることになる。また、ＤＩＭＭ２，４上のＥＥＰＲＯＭ３，５内に記録されたＳＰＤデータを読み出して、上記パソコン１に伝送するような読出制御部を、上記基板装着装置１０に設けてもよい。
【００９０】
このように上記検査システムに読出制御部を設けることで、例えば、基板検査等に必要な所定情報を、ＤＩＭＭ上のＥＥＰＲＯＭ内に記録されたままの状態で入手した場合であっても、上記パソコン１に送ることが可能となる。したがって、このように入手したＳＰＤデータであってもパソコン１で保存・管理することができる。また、上記検査装置２０による検査が終了した多数のＤＩＭＭ４の中から任意の１つを選択し、そのＥＥＰＲＯＭ５に書き込まれたＳＰＤデータを一旦読み出すこともできる。これによれば、検査が終了したＤＩＭＭ４のＥＥＰＲＯＭ５内のＳＰＤデータを所定の形式で上記パソコンのモニタ等に表示させたり、上記プリンタ機器８を用いてプリントアウトしたりすることもできるようになる。
【００９１】
〔実施形態２〕
本発明を、上記実施形態１と同様に、メモリモジュール基板であるＤＩＭＭ上に設けられた不揮発性メモリであるＥＥＰＲＯＭに所定情報であるＳＰＤデータを書き込みとともに、該ＤＩＭＭの検査を行う検査システムに適用した実施形態（以下、本実施形態を「実施形態２」という。）について説明する。本実施形態の検査システムは、マスタ基板作成時におけるＤＩＭＭ上のＥＥＰＲＯＭへの書込の制御、及び該ＥＥＰＲＯＭに書き込まれたＳＰＤデータと書込元のＳＰＤデータとの比較の制御の機能を、上記実施形態１の基板装着装置１０に当たるマスタ基板作成装置１１０に持たせた構成となっている。したがって、上記パソコン１は情報保存装置として機能し、該パソコンには書込用アプリケーション及び比較用アプリケーションをインストールする必要がない。尚、本実施形態で使用する検査装置２０は、上記実施形態１と同じの構成及び動作であるので説明を省略する。
【００９２】
図５は、本実施形態に係る検査システムのマスタ基板作成装置１１０の概略構成を示すブロック図である。このマスタ基板作成装置１１０には、上記実施形態１と同様に、インターフェース部としてのセントロコネクタ１１、他のインターフェース部としてのセントロコネクタ１２及び外部接続用コネクタ１４、レベル変更部１５、及び基板装着部としてのソケット１３ａ，１３ｂ，１３ｃ，１３ｄが設けられている。
【００９３】
更に、本実施形態のマスタ基板作成装置１１０には、上記セントロコネクタ１１から入力されたＳＰＤデータを、上記ソケット１３ａ，１３ｂ，１３ｃ，１３ｄ並びに上記外部接続用コネクタ１４に接続される外部装置１８やＩＣクリップのいずれかにに装着されたＤＩＭＭ２上のＥＥＰＲＯＭ３に書き込む書込制御部１１６が設けられている。この書込制御部１１６は、上記パソコン１の内蔵ハードディスク内に保存されたＳＰＤデータを上記セントロコネクタ１１を介して読み出し、該ＳＰＤデータを所定の形式で上記ソケット等から出力する。書込制御部１１６から延びる各データラインは、上記各ソケット１３ａ，１３ｂ，１３ｃ，１３ｄ及び上記外部接続用コネクタ１４に並列に接続されており、これらソケット等のうちの１つにＤＩＭＭ２が接続されると、上記ＳＰＤデータが該ＤＩＭＭに書き込まれる。
【００９４】
また、本実施形態のマスタ基板作成装置１１０には、上記パソコン１の内蔵ハードディスク内に保存された書込元のＳＰＤデータと上記ＤＩＭＭ２上のＥＥＰＲＯＭ３に書き込んだＳＰＤデータとを比較して、書込エラーの有無を判断する比較判断部１１７が設けられている。この比較判断部１１７では、上記書込制御部１１６による書込が終了した後、該書込制御部に入力された上記パソコン１からのＳＰＤデータと、いずれかのソケットに装着されたＤＩＭＭ２上のＥＥＰＲＯＭ３に書き込んだＳＰＤデータと比較する。この比較の結果、ＳＰＤが正確に書き込まれている場合には、上記比較判断部１１７の制御の下、上記パソコン１のモニタに「ＰＡＳＳ」等が表示され、検査者に書き込みが正常に行われた旨を知らせる。一方、ＳＰＤが正確に書き込まれていない場合には、上記モニタに「ＦＡＩＬ」等を表示させ、検査者に書き込みが正常に行われていない旨を知らせる。
【００９５】
このようにしてマスタ基板を作成したら、このＤＩＭＭ２をソケットから外して上記検査装置２０のある場所に運び、上記実施形態１と同様の基板検査等を行う。
【００９６】
上記書込制御部１１６は、書込用コンピュータプログラムを記録したコンピュータ読取可能な記録媒体としての第１メモリと、所定のデータを一時的に記録する第２メモリと、該プログラムを実行する演算器とから構成されている。この書込用コンピュータプログラムは、上記パソコン１の内蔵ハードディスクに記録されたＳＰＤデータファイルを読み出す情報読出手段として機能するプログラム部と、該読み出したファイル内から上記ＤＩＭＭ２上のＥＥＰＲＯＭ３に書き込むデータを上記第２メモリに一時的に記録する情報記録手段として機能するプログラム部と、該第２メモリに記録されたデータを該ＥＥＰＲＯＭ３に書き込む情報書込手段として機能するプログラム部とから構成されている。
【００９７】
尚、上記実施形態１及び２では、ＤＩＭＭを例に挙げて説明したが、所定情報を記録する不揮発性メモリが設けられたメモリモジュール基板であれば、他のメモリモジュール基板に対しても適用することが可能である。この場合、ソケット形状や記録方式等に若干の変更を加える必要があるが、同様に低コストで検査システムを構築することができる。
【符号の説明】
【００９８】
１      パソコン
２      マスタ基板用ＤＩＭＭ
４      検査対象用ＤＩＭＭ
３，５  ＥＥＰＲＯＭ
６      電源ケーブル
７      電源スイッチ
８      プリンタ機器
９      タッチパネル
１０    基板装着装置
１１，１２  セントロコネクタ
１３ａ，１３ｂ，１３ｃ，１３ｄ  ソケット
１４    外部接続用コネクタ
１５    レベル変更部
２０    検査装置
２１    ソケット
２２    情報メモリ部
２３    プログラムメモリ部
２４    記録制御部
２５    書込制御部
２６    検査制御部
１１０  マスタ基板作成装置
１１６  書込制御部
１１７  比較判断部
【図１】
2011023010.tif 000003
【図２】
2011023010.tif 000004
【図３】
2011023010.tif 000005
【図４】
2011023010.tif 000006
【図５】
2011023010.tif 000007
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
所定情報を記録する情報メモリ部、及び該情報メモリ部に記録された所定情報を出力する出力インターフェース部を備えた情報保存装置の出力インターフェースに接続されるインターフェース部と、
メモリモジュール基板を装着可能な基板装着部と、
該インターフェース部を介して該情報保存装置の情報メモリ部に記録された所定情報を読み出し、該所定情報を、該基板装着部に装着されたマスタ基板となるメモリモジュール基板上の不揮発性メモリに書き込む書込制御部とを備え、
上記書込制御部の制御に基づいてマスタ基板を作成することを特徴とするマスタ基板作成装置。
【請求項２】
請求項１のマスタ基板作成装置において、
上記マスタ基板となるメモリモジュール基板上の不揮発性メモリに書き込まれる書込元の所定情報と、該マスタ基板上の不揮発性メモリに書き込んだ所定情報とを比較して、該書込元の所定情報が該不揮発性メモリに正しく書き込まれたか否かを判断する比較判断部を有することを特徴とするマスタ基板作成装置。
【請求項３】
請求項１又は２のマスタ基板作成装置において、
メモリモジュール基板上の不揮発性メモリ内の所定情報を読み出す読出制御部を有することを特徴とするマスタ基板作成装置。
【請求項４】
請求項１のマスタ基板作成装置の書込制御部を構成する手段として、コンピュータを機能させるプログラムを記録したコンピュータ読取可能な記録媒体であって、
上記情報保存装置の上記情報メモリ部に記録された所定情報を上記インターフェース部を介して読み出す情報読出手段、該読み出した所定情報のうち、上記基板装着部に装着されたマスタ基板となるメモリモジュール基板上の不揮発性メモリに書き込むべき情報を、メモリに一時的に記録する情報記録手段、及び該メモリに記録された情報を該メモリモジュール基板上の不揮発性メモリに書き込む情報書込手段として、コンピュータを機能させるプログラムを記録したコンピュータ読取可能な記録媒体。
【手続補正３】
【補正対象書類名】明細書
【補正対象項目名】０００１
【補正方法】変更
【補正の内容】
【０００１】
本発明は、同一回路基板上に複数の半導体メモリが搭載されたメモリモジュール基板上に設けられたＥＥＰＲＯＭ等の不揮発性メモリへＳＰＤ等の所定情報を書き込むとともに、該メモリモジュール基板の検査を行うメモリモジュール基板の検査システムに用いられ、上記不揮発性メモリに所定情報を書き込んでマスタ基板を作成することに特化したマスタ基板作成装置に関するものである。
【手続補正４】
【補正対象書類名】明細書
【補正対象項目名】００１１
【補正方法】変更
【補正の内容】
【００１１】
本発明は、以上の問題に鑑みなされたものであり、その目的とするところは、パソコン等に接続できない安価な検査装置を用いてメモリモジュール基板の基板検査等を行うときに、該検査装置にＳＰＤ等の所定情報を保存する作業を従来に比べて短時間で簡単に行うことができ、かつ、その保存作業時のミスも少なく、基板検査等の作業効率を向上させることができる低コストで構築可能なメモリモジュール基板の検査システムに用いるマスタ基板作成装置、並びに該マスタ基板作成装置の書込制御部を構成する手段としてコンピュータを機能させるプログラムを記録したコンピュータ読取可能な記録媒体を提供することである。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】変更
【補正の内容】
【００４１】
上記目的を達成するために、請求項１の発明は、所定情報を記録する情報メモリ部、及び該情報メモリ部に記録された所定情報を出力する出力インターフェース部を備えた情報保存装置の出力インターフェースに接続されるインターフェース部と、メモリモジュール基板を装着可能な基板装着部と、該インターフェース部を介して該情報保存装置の情報メモリ部に記録された所定情報を読み出し、該所定情報を、該基板装着部に装着されたマスタ基板となるメモリモジュール基板上の不揮発性メモリに書き込む書込制御部とを備え、上記書込制御部の制御に基づいてマスタ基板を作成することを特徴とするマスタ基板作成装置である。
【手続補正３５】
【補正対象書類名】明細書
【補正対象項目名】００４４
【補正方法】変更
【補正の内容】
【００４４】
また、請求項２の発明は、請求項１のマスタ基板作成装置において、上記マスタ基板となるメモリモジュール基板上の不揮発性メモリに書き込まれる書込元の所定情報と、該マスタ基板上の不揮発性メモリに書き込んだ所定情報とを比較して、該書込元の所定情報が該不揮発性メモリに正しく書き込まれたか否かを判断する比較判断部を有することを特徴とするものである。
【手続補正３６】
【補正対象書類名】明細書
【補正対象項目名】００４６
【補正方法】変更
【補正の内容】
【００４６】
また、請求項３の発明は、請求項１又は２のマスタ基板作成装置において、メモリモジュール基板上の不揮発性メモリ内の所定情報を読み出す読出制御部を有することを特徴とするものである。
【手続補正３７】
【補正対象書類名】明細書
【補正対象項目名】００４８
【補正方法】変更
【補正の内容】
【００４８】
上記目的を達成するために、請求項４の発明は、請求項１のマスタ基板作成装置の書込制御部を構成する手段として、コンピュータを機能させるプログラムを記録したコンピュータ読取可能な記録媒体であって、上記情報保存装置の上記情報メモリ部に記録された所定情報を上記インターフェース部を介して読み出す情報読出手段、該読み出した所定情報のうち、上記基板装着部に装着されたマスタ基板となるメモリモジュール基板上の不揮発性メモリに書き込むべき情報を、メモリに一時的に記録する情報記録手段、及び該メモリに記録された情報を該メモリモジュール基板上の不揮発性メモリに書き込む情報書込手段として、コンピュータを機能させるプログラムを記録したコンピュータ読取可能な記録媒体である。
【手続補正３８】
【補正対象書類名】明細書
【補正対象項目名】００４９
【補正方法】変更
【補正の内容】
【００４９】
この記録媒体に記録されているプログラムは、請求項１のマスタ基板作成装置に読み込まれる。そして、このマスタ基板作成装置の書込制御部で上記プログラムが実行されることにより、該マスタ基板作成装置に接続される上記情報保存装置に、所定情報をメモリモジュール基板上の不揮発性メモリに書き込むために必要な装置を設けたり、所定の書込用コンピュータプログラムをインストールしたりする必要がなくなる。
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】
【手続補正４２】
【補正対象書類名】明細書
【補正対象項目名】００５３
【補正方法】削除
【補正の内容】
【手続補正４３】
【補正対象書類名】明細書
【補正対象項目名】００５４
【補正方法】削除
【補正の内容】
【手続補正４４】
【補正対象書類名】明細書
【補正対象項目名】００５５
【補正方法】削除
【補正の内容】
【手続補正４５】
【補正対象書類名】明細書
【補正対象項目名】００５６
【補正方法】削除
【補正の内容】
【手続補正４６】
【補正対象書類名】明細書
【補正対象項目名】００５７
【補正方法】削除
【補正の内容】
【手続補正４７】
【補正対象書類名】明細書
【補正対象項目名】００５８
【補正方法】削除
【補正の内容】
【手続補正４８】
【補正対象書類名】明細書
【補正対象項目名】００５９
【補正方法】削除
【補正の内容】
【手続補正４９】
【補正対象書類名】明細書
【補正対象項目名】００６０
【補正方法】削除
【補正の内容】
【手続補正５０】
【補正対象書類名】明細書
【補正対象項目名】００６１
【補正方法】削除
【補正の内容】
【手続補正５１】
【補正対象書類名】明細書
【補正対象項目名】００６２
【補正方法】削除
【補正の内容】
【手続補正５２】
【補正対象書類名】明細書
【補正対象項目名】００６３
【補正方法】変更
【補正の内容】
【００６３】
請求項１乃至３の発明によれば、当該マスタ基板作成装置に接続される情報保存装置には、従来どおりに所定情報を保存・管理できる機能さえあれば足りるので、当該マスタ基板作成装置を適用して検査システムを構築するに際しての作業は、当該マスタ基板作成装置を上記情報保存装置に接続するだけでも可能となり、その作業が簡単であるという優れた効果がある。
特に、請求項２の発明によれば、マスタ基板への書込エラーを軽減することができ、検査装置への保存作業時のミスを更に軽減し、基板検査等のやり直し等の無駄な時間をなくすことが可能となるという優れた効果がある。
また、請求項３の発明によれば、メモリモジュール基板上の不揮発性メモリ内に記録されたままの状態で入手した場合であっても、該所定情報を保存・管理することが可能なマスタ基板作成用書込制御装置に送ることが可能となったり、検査システムの構成によっては、メモリモジュール基板上の不揮発性メモリに書き込んだ所定情報を一旦読み出して、所定の形式でモニタ等に表示したり、プリントアウトしたりする等が可能となるという優れた効果がある。
また、請求項４の発明によれば、検査システムを構築するに際しての作業が簡単となるという優れた効果がある。
【手続補正５３】
【補正対象書類名】明細書
【補正対象項目名】００６４
【補正方法】削除
【補正の内容】
【手続補正５４】
【補正対象書類名】明細書
【補正対象項目名】００６５
【補正方法】削除
【補正の内容】
【手続補正５５】
【補正対象書類名】明細書
【補正対象項目名】００６６
【補正方法】削除
【補正の内容】
【手続補正５６】
【補正対象書類名】明細書
【補正対象項目名】００６７
【補正方法】変更
【補正の内容】
【００６７】
【図１】実施形態１に係る検査システム全体の外観図。
【図２】同検査システムを構成する基板装着装置の概略構成を示すブロック図。
【図３】同検査システムを構成する検査装置の概略構成を示すブロック図。
【図４】同マスタ基板作成装置の外部接続用コネクタに接続された他の外部装置を示す外観図。
【図５】実施形態２に係る検査システムのマスタ基板作成装置の概略構成を示すブロック図。